(57)【要約】【課題】コストアップや設置スペースと消費電力の増大を伴うことなく、スクリーンに投影されるイメージが移動する効果を得て興味ある視覚効果を演出することができる装飾照明装置を提供すること。【解決手段】一端が開口するケース２の開口部にスクリーン３を被着し、前記ケース２内に光源４と遮光板５を収容し、前記光源４から出射して前記遮光板５の透光部を透過した光を前記スクリーン３に投影する装飾照明装置１において、前記光源４を基板７上に複数のＬＥＤ８を実装して構成し、前記遮光板５の透光部又は遮光部（切り取り部５ｃや凹凸部５ｄ）を前記ＬＥＤ８と前記スクリーン３の投影面とを結ぶ直線上に配置し、前記複数のＬＥＤ８を任意の並びに沿って順次点灯させるよう構成する。【選択図】図１
2015118764.tif 000002
【特許請求の範囲】
【請求項１】
一端が開口するケースの開口部にスクリーンを被着し、前記ケース内に光源と遮光板を収容し、前記光源から出射して前記遮光板の透光部を透過した光を前記スクリーンに投影する装飾照明装置において、
前記光源を基板上に複数のＬＥＤを実装して構成し、前記遮光板の透光部又は遮光部を前記ＬＥＤと前記スクリーンの投影面とを結ぶ直線上に配置し、前記複数のＬＥＤを任意の並びに沿って順次点灯させるよう構成したことを特徴とする装飾照明装置。
【請求項２】
前記遮光板を透明樹脂で構成し、該透明樹脂の一部に複数の切り取り部又は／及び凹凸部を形成したことを特徴とする請求項１記載の装飾照明装置。
【請求項３】
前記遮光板を不透明樹脂で構成し、該不透明樹脂の一部に複数の透光部を形成したことを特徴とする請求項１記載の装飾照明装置。
【請求項４】
前記スクリーンと前記遮光板との距離をａ、前記遮光板と前記基板との距離をｂ、隣接するＬＥＤの距離をｃ、ＬＥＤの半値角をαとすると、ＬＥＤから投影面方向と光軸間の角度θは、
θ＝ｔａｎ−１（ｃ／（ａ＋ｂ））
θ≦α／２
を満足することを特徴とする請求項１〜３の何れかに記載の装飾照明装置。
【発明の詳細な説明】
【技術分野】
【０００１】
本発明は、複数のＬＥＤを順次点灯することによってスクリーンに投影されるイメージに動的効果を与えるようにした装飾照明装置に関するものである。
【背景技術】
【０００２】
例えば、遊技機やアミューズメント等における各種演出用として装飾照明装置が用いられているが、この種の装飾照明装置として、特許文献１には図９に示すものが提案されている。
【０００３】
即ち、図９は特許文献１において提案された装飾照明装置の縦断面図であり、図示の装飾照明装置１０１においては、有底筒状のケース１０２の内周面にリング状の複数の凸部１０３，１０４，１０５，１０６が設けられており、各凸部１０３，１０４，１０５，１０６にはスクリーン１０７、遮光体１０８，１０９、底板１１０がそれぞれ支持されている。
【０００４】
上記遮光体１０８，１０９は、モータ１１１，１１２によって互いに逆方向に回転駆動されて相対的に移動関係を生ずることが可能であり、これらの遮光体１０８，１０９には多数の透光部（不図示）がそれぞれ設けられている。
【０００５】
又、前記底板１１０には、環状蛍光ランプ等の光源１１３，１１４が設けられており、各光源１１３，１１４から出射する光は、環状の透光板１１５と星形の透光板１１６を透過して図９の上方に向けて照射される。そして、ケース１０２の開口部には、ドーム状の保護体１１７が被着されている。
【０００６】
而して、光源１１３，１１４の何れかが点灯し、モータ１１１，１１２によって遮光体１０８，１０９が互いに逆方向に回転すると、スクリーン１０７には星形或いは環状の光スポットが現われ、これらが回転移動しつつ、まちまちに点滅する。このように、光源１１３，１１４からの光がスクリーン１０７に移動と明滅の作用を伴って投影される結果、興味ある視覚効果が得られ、ディスプレイ効果が高められる。
【先行技術文献】
【特許文献】
【０００７】
【特許文献１】特開昭６１−０７８００２号公報
【発明の概要】
【発明が解決しようとする課題】
【０００８】
しかしながら、特許文献１において提案された図９に示す装飾照明装置１０１においては、光源１１３，１１４とスクリーン１０７が固定されているため、スクリーン１０７に投影されたイメージが移動する効果を得るためには、遮光体１０８，１０９をモータ１１１，１１２によってそれぞれ回転させて透光部の位置を変える必要がある。このため、駆動源としてのモータ１１１，１１２が必要になり、コストアップや設置スペースと消費電力の増大を招くという問題がある。
【０００９】
本発明は上記問題に鑑みてなされたもので、その目的とする処は、コストアップや設置スペースと消費電力の増大を伴うことなく、スクリーンに投影されるイメージの動的効果を得て興味ある視覚効果を演出することができる装飾照明装置を提供することにある。
【課題を解決するための手段】
【００１０】
上記目的を達成するため、請求項１記載の発明は、一端が開口するケースの開口部にスクリーンを被着し、前記ケース内に光源と遮光板を収容し、前記光源から出射して前記遮光板の透光部を透過した光を前記スクリーンに投影する装飾照明装置において、前記光源を基板上に複数のＬＥＤを実装して構成し、前記遮光板の透光部又は遮光部を前記ＬＥＤと前記スクリーンの投影面とを結ぶ直線上に配置し、前記複数のＬＥＤを任意の並びに沿って順次点灯させるよう構成したことを特徴とする。
【００１１】
請求項２記載の発明は、請求項１記載の発明において、前記遮光板を透明樹脂で構成し、該透明樹脂の一部に複数の切り取り部又は／及び凹凸部を形成したことを特徴とする。
【００１２】
請求項３記載の発明は、請求項１記載の発明において、前記遮光板を不透明樹脂で構成し、該不透明樹脂の一部に複数の透光部を形成したことを特徴とする。
【００１３】
請求項４記載の発明は、請求項１〜３の何れかに記載の発明において、前記スクリーンと前記遮光板との距離をａ、前記遮光板と前記基板との距離をｂ、隣接するＬＥＤの距離をｃ、ＬＥＤの半値角をαとすると、ＬＥＤから投影面方向と光軸間の角度θは、
θ＝ｔａｎ−１（ｃ／（ａ＋ｂ））
θ≦α／２
を満足することを特徴とする。
【発明の効果】
【００１４】
請求項１及び２記載の発明によれば、複数のＬＥＤを任意の並びに沿って順次点灯させれば、各ＬＥＤから出射する光が遮光板の各透光部を透過してスクリーンに各透光部の形状のイメージを順次投影するため、各透光部の形状の変化に合わせてスクリーン上のイメージも変化し、イメージの動的効果によって興味ある視覚効果を演出することができる。そして、このような効果は、モータ等の駆動源によって遮光板を回転させることなく得られるため、コストアップや設置スペースと消費電力の増大を招くことがない。
【００１５】
請求項１及び３記載の発明によれば、遮光板に遮光部を形成しておけば、複数のＬＥＤの任意の並びに沿う点灯によって各ＬＥＤから出射する光が遮光部によって遮られるため、スクリーンには各遮光部の形状の影のイメージが順次投影され、各遮光部の形状の変化に合わせてスクリーン上の影のイメージも変化し、イメージの動的効果によって興味ある視覚効果を演出することができる。この場合も、モータ等の駆動源を要しないため、コストアップや設置スペースと消費電力の増大を招くことなく、前記効果を得ることができる。
【００１６】
請求項４記載の発明によれば、各ＬＥＤからの光を遮光板の透光部又は遮光部に向けて出射させることができ、各ＬＥＤからの光を有効に利用してスクリーン上に動的なイメージを投影させることができる。
【図面の簡単な説明】
【００１７】
【図１】本発明に係る装飾照明装置の縦断面図である。
【図２】本発明に係る装飾照明装置の分解斜視図である。
【図３】本発明に係る装飾照明装置の光源と遮光板及びスクリーンの模式的斜視図である。
【図４】本発明に係る装飾照明装置の作動原理を説明する模式図であって、（ａ）はスクリーンの平面図、（ｂ）は遮光板の平面図、（ｃ）は光源と遮光板及びスクリーンの側面図である。
【図５】本発明に係る装飾照明装置におけるＬＥＤの順次点灯による作動原理を説明するための光源と遮光板及びスクリーンの模式的斜視図である。
【図６】本発明に係る装飾照明装置におけるＬＥＤの順次点灯による作動原理を説明するための光源と遮光板及びスクリーンの模式的斜視図である。
【図７】本発明に係る装飾照明装置におけるＬＥＤの順次点灯による作動原理を説明するための光源と遮光板及びスクリーンの模式的斜視図である。
【図８】本発明に係る装飾照明装置におけるＬＥＤの同時点灯時の状態を示す光源と遮光板及びスクリーンの模式的斜視図である。
【図９】特許文献１において提案された装飾照明装置の縦断面図である。
【発明を実施するための形態】
【００１８】
以下に本発明の実施の形態を添付図面に基づいて説明する。
［装飾照明装置の構成］
図１は本発明に係る装飾照明装置の縦断面図、図２は同装飾照明装置の分解斜視図であり、図示の装飾照明装置１は、有底円筒状に成形されたケース２の一端開口部（図１の上端開口部）にドーム状のスクリーン３を被着し、ケース２内の底部に光源４を収容し、ケース２内の開口部近傍に遮光板５を収容して構成されている。ここで、ドーム状のスクリーン３の開口部周縁にはフランジ部３ａが一体に形成されており、このフランジ部３ａをケース２の開口部周縁に取り付けることによって、スクリーン３がケース２の一端開口部に被着されている。そして、前記遮光板５は、スクリーン３のフランジ３ａの下面に取り付けられている。
【００１９】
前記ケース２は、不透明樹脂によって有底円筒状に一体成形されており、図２に示すように、その一端開口部外周の３箇所にはボス部２Ａ（図２には２つのみ図示）が一体に形成されている。そして、各ボス部２Ａにはネジ孔２ａがそれぞれ形成されており、不図示のボスを含めて２つのボス２Ａには位置決めピン６（図２には１つのみ図示）が立設されている。
【００２０】
前記スクリーン３は、透明樹脂によってドーム状に成形されたものの表面に光拡散のためのシボ加工を施したり、或いは半透明樹脂によってドーム状に成形することによって構成されており、遮光板５を透過した光によるイメージや遮光板５によって光が遮られることによる影のイメージを投影する機能を果たす。尚、スクリーン３の形状はドーム状に限らず、平面的なものであっても良い。
【００２１】
又、スクリーン３のフランジ部３ａの周方向３箇所（ケース２のボス２Ａに対応する３箇所）にはブラケット部３Ａがそれぞれ一体に形成されており、各ブラケット部３Ａには円孔状のネジ挿通孔３ｂ（図２には２つのみ図示）がそれぞれ形成されている。そして、２つのブラケット部３Ａには位置決め用のピン孔３ｃ（図２には１つのみ図示）が形成されている。
【００２２】
前記光源４は、図２に示すように、円板状の基板７に複数のＬＥＤ８を同一円周上に適当なピッチで実装して構成されている。尚、後述のように、複数のＬＥＤ８は、不図示の点灯制御回路によって、その並びの順に順次点灯される。
【００２３】
前記遮光板５は、本実施の形態においては、図２に示すように円板状の透明樹脂によって構成されており、その外周の２箇所（ケース２のボス部２Ａ及びスクリーン３のブラケット部３Ａに対応する２箇所）にはブラケット５Ａ（図２には１つのみ図示）が一体に形成されており、各ブラケット５Ａには円孔状のネジ挿通孔５ａと位置決め用のピン孔５ｂがそれぞれ形成されている＞
ここで、透明樹脂で構成された遮光板５には、互いに形状が異なる複数の切り取り部５ｃと円形の複数の凹凸部５ｄが形成されており、これらの切り取り部５ｃと凹凸部５ｄは遮光部を構成している。尚、遮光板５として、不透明樹脂に互いに形状が異なる複数の透明な透光部を形成したものを用いることもできる。
[装飾照明装置の組立要領]
ここで、本実施の形態に係る装飾照明装置１の組立要領を以下に説明する。
【００２４】
即ち、基板７とこれに実装された複数のＬＥＤ８から成る光源４をケース２の上面開口部からケース２内に収容した後、遮光板５の２つのブラケット５Ａに形成されたピン孔５ｂにケース２の２つのボス部２Ａに立設された位置決めピン６を通すことによって、遮光板５をケース２に対して正確に位置決めした状態で、該遮光板５の２つのブラケット５Ａをケース２の２つのボス部２Ａ上に載する。
【００２５】
次に、遮光板５の上にスクリーン３を被せ、該スクリーン３の２つのブラケット部３Ａの各ピン孔３ｃにケース２の２つのボス部２Ａに立設された各位置決めピン６をそれぞれ通すことによって、スクリーン３を遮光板５とケース２に対して正確に位置決めした状態で、スクリーン３を間に遮光板５を介在させてケース２上に重ねる。すると、スクリーン３のネジ挿通孔３ｂと遮光板５のネジ挿通孔５ａ及びケース２のネジ孔２ａが一致するため、ネジ挿通孔３ｂ，５ａに挿通する不図示のネジをケース２のネジ孔２ａにねじ込むことによって、装飾照明装置１が図１に示すように組み立てられる。
[装飾照明装置の作動原理]
次に、以上のように構成された装飾照明装置１の作動原理を図３〜図８に基づいて説明する。尚、以下においては、説明の便宜上、装飾照明装置１を構成するスクリーン３と光源４及び遮光板５を簡略化して図示している。
【００２６】
図３は本発明に係る装飾照明装置の光源と遮光板及びスクリーンの模式的斜視図、図４は同装飾照明装置の作動原理を説明する模式図であって、（ａ）はスクリーンの平面図、（ｂ）は遮光板の平面図、（ｃ）は光源と遮光板及びスクリーンの側面図、図５〜図７は同装飾照明装置におけるＬＥＤの順次点灯による作動原理を説明するための光源と遮光板及びスクリーンの模式的斜視図、図８は同装飾照明装置におけるＬＥＤの同時点灯時の状態を示す光源と遮光板及びスクリーンの模式的斜視図である。
【００２７】
ここでは、図３に示すように、光源４として長方形の基板７上に３つのＬＥＤ８−１，８−２，８−３が一直線上に適当な間隔で配置されたものを想定し、スクリーン３と遮光板４も長方形の平板であるものとする。又、遮光板５には、切り取り部５ｃとして「Ａ」，「Ｂ」，「Ｃ」の３つの英文字が形成されているものとする。
【００２８】
ここで、図４に示すように、遮光板５の「Ａ」，「Ｂ」，「Ｃ」の切り取り部５ａは、ＬＥＤ８−１〜８−３とスクリーン３の投影面とを結ぶ直線上にそれぞれ配置されている。
【００２９】
又、図４（ｃ）に示すように、スクリーン３と遮光板５との距離をａ、遮光板５と基板７との距離をｂ、隣接するＬＥＤ８−１と８−２及びＬＥＤ８−２と８−３の距離をｃ、ＬＥＤ８−１〜８−３の半値角をαとすると、ＬＥＤ８−１〜８−３から投影面方向と光軸間の角度θは、
θ＝ｔａｎ−１（ｃ／（ａ＋ｂ））
θ≦α／２
を満足する値に設定されている。
【００３０】
而して、ＬＥＤ８−１，８−２，８−３をこの順に順次点灯させると、スクリーン３上には影としてのイメージ（他の部分よりも暗い部分）の英文字「Ａ」，「Ｂ」，「Ｃ」がこの順に順次投影されて表示され、スクリーン３に投影されるイメージに動的効果が得られ、興味ある視覚効果が演出される。
【００３１】
即ち、先ず最初にＬＥＤ８−１が点灯すると、図５に示すように、該ＬＥＤ８−１からの光のうち、遮光板５の切り取り部「Ａ」の立ち壁にて反射及び屈折した光は、該ＬＥＤ８−１と切り取り部「Ａ」を通る直線上のスクリーン３にそのまま到達しないため、スクリーン３には暗い影としての「Ａ」のイメージが投影される。そして、次にＬＥＤ８−２が点灯すると、同様の原理によってスクリーン３には図６に示すように影としての「Ｂ」のイメージが投影され、最後にＬＥＤ８−３が点灯すると、スクリーン３には図７に示すように影としての「Ｃ」のイメージが投影される。ここで、「Ａ」、「Ｂ」、「Ｃ」の文字の代わりに、徐々に変形する任意の絵柄を配置すると、ＬＥＤ８−１，８−２，８−３の順次点灯に応じて、投影像の変形をアニメーション効果をもって演出することができる。尚、３つのＬＥＤ８−１，８−２，８−３が同時に点灯した場合には、スクリーン３には図８に示すように影としての「Ａ」，「Ｂ」，「Ｃ」のイメージが重ねて投影される。
【００３２】
以上のように、本発明に係る装飾照明装置１によれば、遮光板５に遮光部として切り取り部５ｃや凹凸部５ｄを形成したため、複数のＬＥＤの８任意の並びに沿う点灯によって各ＬＥＤ８から出射する光が遮光部によって遮られる。このため、スクリーン３には各遮光部の形状の影のイメージが順次投影され、各遮光部の形状の変化に合わせてスクリーン３上の影のイメージも変化し、イメージの動的効果によって興味ある視覚効果を演出することができる。そして、この場合、モータ等の駆動源を要しないため、コストアップや設置スペースと消費電力の増大を招くことなく、簡単な構成によって前記効果を得ることができる。
【００３３】
又、本実施の形態では、スクリーン３と遮光板５との距離をａ、遮光板５と基板７との距離をｂ、隣接するＬＥＤ８の距離をｃ、ＬＥＤ８の半値角をαとした場合、
θ＝ｔａｎ−１（ｃ／（ａ＋ｂ））
によって求められる角度（ＬＥＤ８から投影面方向と光軸間の角度）θを、
θ≦α／２
を満足する値に設定したため、各ＬＥＤ８からの光を遮光板５の透孔部又は遮光部に向けて出射させることができ、各ＬＥＤ８からの光を有効に利用してスクリーン３上に動的なイメージを投影させることができる。
【００３４】
尚、遮光板５として、不透明樹脂の一部に複数の透明な透光部を形成したものを用いた場合には、複数のＬＥＤ８を任意の並びに沿って順次点灯させれば、各ＬＥＤ８から出射する光が遮光板５の各透光部を透過してスクリーン３に各透光部の形状のイメージを順次投影するため、各透光部の形状の変化に合わせてスクリーン３上のイメージも変化し、イメージの動的効果によって興味ある視覚効果を演出することができる。そして、このような効果は、モータ等の駆動源によって遮光板５を回転させることなく得られるため、コストアップや設置スペースと消費電力の増大を招くことがない。
【符号の説明】
【００３５】
１        装飾照明装置
２        ケース
３        スクリーン
４        光源
５        遮光板
５ｃ      遮光板の切り取り部
５ｄ      遮光板の凹凸部
６        位置決めピン
７        基板
８        ＬＥＤ
【図１】
2015118764.tif 000003
【図２】
2015118764.tif 000004
【図３】
2015118764.tif 000005
【図４】
2015118764.tif 000006
【図５】
2015118764.tif 000007
【図６】
2015118764.tif 000008
【図７】
2015118764.tif 000009
【図８】
2015118764.tif 000010
【図９】
2015118764.tif 000011